(57)【要約】  垂直農場を収容するタンクであって、タンクの壁に支持された異なる高さの複数の構造物を内部に有し、その構造物は作物用トレイ並びに他の設備及び水路を配置するための環状の突部を形成するようにされ、構造物は環状に配置されることで、昇降可能なプラットフォームを設置するために使用される中空空間がタンクの中心軸に形成され、それにより作業者又はロボットが、野菜を保持する異なるトレイにアクセスすることができるようにされ、タンクの下部に、作物の最適化に必要なパラメータを制御するための液圧、電気及び電子システムのための密閉及び閉鎖された区画が配置される。
2019528086.tif 000002
【特許請求の範囲】
【請求項１】
外側が円筒形状の閉鎖空間を有し、底部又は下部は平らで地面の上に置かれ、閉鎖部又は上部が丸みを帯びた形状を有し、１つの入口ドア（１０）を有する、垂直農場を収容するタンク（１）であって、前記タンク（１）の内側に、異なる高さに複数の構造物（２）が設置され、前記構造物（２）は、前記タンクの内壁に接合される外形により形成されて前記タンクの平らな前記内壁に取り付けられ、高さ調節可能であり、環状の突部が作物のトレイ（２１）を置くために作られ、前記タンク（１）は、ＬＥＤ照明（６１）に電力を供給する電気導管を収容し、前記トレイ（２１）へ供給する液圧導管を収容し、前記構造物（２）の前記環状の形状により、前記タンク（１）の中心軸に中空の空間が形成され、該空間は、前記構造物に配置された異なる前記トレイ（２１）にアクセスするための昇降可能なプラットフォーム（３）の設置に使用され、前記タンク（１）の下部には、前記プラットフォーム（３）に入る前に玄関ホール（５）があり、該玄関ホール（５）には前記ドア（１０）を通って入り、この玄関ホール（５）の隣に、水及び栄養素の供給のための液圧タンク（４）があり、そこから前記タンクの全体の液圧供給ダクト（４０）が出ており、前記タンク（１）は、作物の最適なパラメータを制御するための電気及び電子制御システム用の密閉及び閉鎖された区画（６）もまた有し、そこから全体の電気供給ダクト（６０）もまた出ていることを特徴とする、垂直農場を収容するタンク。
【請求項２】
前記構造物（２）が、支持体（２０）によって前記タンク（１）の壁に取り付けられていることを特徴とする、請求項１に記載の垂直農場を収容するタンク。
【請求項３】
前記構造物（２）は、その上部で前記作物のトレイ（２１）を支持し、その下部に前記ＬＥＤ照明（６１）を固定し、該ＬＥＤ照明は、前記構造物（２）の中央に回路で配置されて、下の前記トレイ（２１）に配置された作物に直接焦点を合わせていることを特徴とする、請求項１に記載の垂直農場を収容するタンク。
【請求項４】
前記構造物（２）のそれぞれが、前記全体の液圧供給ダクト（４０）に接続する液圧接続パイプ又は分枝を有することを特徴とする、請求項１に記載の垂直農場を収容するタンク。
【請求項５】
前記構造物（２）のそれぞれが、前記全体の給電ダクト（６０）に接続する電気接続線又は枝線を有することを特徴とする、請求項１に記載の垂直農場を収容するタンク。
【請求項６】
それぞれの前記トレイ（２１）が、円形の断面形状を有することを特徴とする、請求項１に記載の垂直農場を収容するタンク。
【請求項７】
それぞれの前記トレイが垂直な管構造（２１０）を有し、植物が管の側面の溝に配置され、液体が上部で導入されて下部で集められ、前記ＬＥＤ照明（６１）は垂直に配置されることを特徴とする、請求項１に記載の垂直農場を収容するタンク。
【請求項８】
前記プラットフォーム（３）は、外周の安全柵（３１）と、中央のライト（３３）又は照明とを有し、更に前記プラットフォーム（３）に固定されて、前記プラットフォーム（３）の上方及び下方への移動を可能にする垂直なガイド（３２）を有することを特徴とする、請求項１に記載の垂直農場を収容するタンク。
【請求項９】
前記プラットフォーム（３）の内側に作業員（３０）が配置されることを特徴とする、請求項８に記載の垂直農場を収容するタンク。
【請求項１０】
前記プラットフォーム（３）の内部にロボットが配置されることを特徴とする、請求項８に記載の垂直農場を収容するタンク。
【請求項１１】
前記タンク（１）の壁にスリーブ（７）又は熱交換器が配置されていることを特徴とする、請求項１に記載の垂直農場を収容するタンク。
【請求項１２】
前記密閉及び閉鎖された区画（６）内に、前記タンク（１）及びその作物の監視、追跡及び生産の遠隔制御を可能にするハードウェア及びソフトウェアがあることを特徴とする、請求項１に記載の垂直農場を収容するタンク。
【請求項１３】
前記区画（６）が、外部との電気的接続又は外部への電気供給を有することを特徴とする、請求項１に記載の垂直農場を収容するタンク。
【請求項１４】
前記区画（６）が、エネルギー蓄積器又は発電及び貯蔵手段を有することを特徴とする、請求項１に記載の垂直農場を収容するタンク。
【請求項１５】
前記タンク全体に配置され、前記作物の最適なパラメータを測定するセンサーを有することを特徴とする、請求項１に記載の垂直農場を収容するタンク。
【発明の詳細な説明】
【技術分野】
【０００１】
本明細書は、この農作物技術に適した液圧及び電気システムを含む異なる高さでの作物トレイのための支持構造の設置を可能にする空間が構成されるようにして、垂直農場を収容することができるタンクを明示する。そして作物トレイの分離高さは調整されることができ、タンクは円形をしているので、配置された高さに関係なくいずれのトレイにも到達することができる円形の昇降可能な作業プラットフォームを有する。タンクが円筒形状をしているので、タンクは作物の生育表面を最適化し、また多用途で輸送を可能とする解決法を提供する。
【０００２】
本発明の適用分野は、概して農業分野であり、具体的には、垂直農場として知られる新しいタイプの栽培を開発する技術の範囲に入る。
【背景技術】
【０００３】
垂直農場の概念は、近年、特に２０世紀の終わりに出現した概念及び技術であり、大規模な温室として機能する、一般的に複数階の建物、高層ビル又は閉鎖空間内で植物を栽培する農業の概念に基づいている。これらの空間は、農家が水耕栽培及び／又は空中栽培技術を使用して積み重ねられた構造物で植物を栽培し、光、温度、湿気、水及び栄養素など作物のすべての変数が詳細に制御されるハイテク施設である。
【０００４】
この新しい技術概念は、野外の作物や温室での作物と比較していくつかの利点を有し、悪天候によるすべての問題を回避し、作物の様々な変数を制御できることにより、農家にとっての直接的な利点と快適さに加えて、この技術ははるかに高い生産量を得ることが可能になり、また年間を通して作業を継続することが可能になり、年間収穫数を制御することさえ可能になる。
【０００５】
これは発展途中の技術であるため、現在は比較的低い光強度を必要とし、生育期間が短い、高密度栽植で生育されることができる生産物を使用する傾向があり、そのためこの技術は既に緑葉野菜、レタス、ブロッコリなどの作物で使用されている。
【０００６】
上述したように、この技術は発展途中であり、一般的に断熱性が高くほぼ密閉され、最小間隔４００ｍｍの異なる高さであってＬＥＤ照明を備えた構造システムと、栄養剤を備えた少なくとも１つの液圧システムと、植物の光合成を改善するためのＣＯ２供給システムと、作物に必要な環境条件を完全に制御することを可能にする、冷暖房、湿気制御、及び換気を提供する機器と、該して環境管理のための電子ユニットと、ｐＨ及び伝導率の測定器とを備えた建物又は貯蔵型の部屋を必要とする。
【０００７】
これに関して、上述したように、例えば次のようなこの技術に関する登録がある。特許文献１は、垂直農場として異なる高さのトレイの設置のために用意された可動台を開示する。Glen James Pettiboneによって保有される特許文献２は、垂直農場による栽培を可能にするセル形の構造又は容器を形成又は作る移動ベルトを開示する。Hsiao-An Changが保有する特許文献３は、作物がその側壁に配置されたモジュール式建造物を開示し、それは垂直農業技術に基づいており、そのモジュールは互いに積み重ね可能であるか、又は透けた空間内で構成可能である。または本発明の考えにより近い登録は、例えばFodder Solutionsによって保有される特許文献４であり、それは垂直農場タイプの作物システム及び方法を開示し、作物は異なる通路を形成する透けた建物の内部に配置されており、その施設はその栽植方法を可能にするように用意されており、とりわけクリーンエネルギーを生成するための手段を有する。Filene Lori Lehmanによって保有される特許文献５は、その内側に栽植のためのモジュール構造物が配置された密閉区域を開示し、その構造物は通路又はグループ化を形成し、その区域は垂直農場技術による作物のためにも用意される。Fooder Solutions Holdingsによって保有される特許文献６は、通路を形成する複数の構造物がその内部に配置された大きな部屋を開示し、その部屋は垂直農場の方法による栽植のために用意され、トレイの配置が特定の植物種の成長を促す特定の傾きを有するという事実などの特定の特別な特徴がある。
【０００８】
しかしながら、先の登録が本発明に関連していることを考慮して、区画が垂直農場を収容するために用意された輸送コンテナである解決法を開示する、最新技術において最も近いと考えられるいくつかの登録を以下に詳述する。最初に、Terry Collessによって保有される特許文献７が挙げられ、そこではコンテナによる輸送ユニットを開示し、それは垂直の庭をその内部に収容するように用意され、とりわけ外部からの連続的な水と電気の供給を有し、作物が収容されて通路を形成する複数の棚又は積み重ね可能な構造物を内部に収容する。また、Greentech Agroによって保有される特許文献８もまた挙げる必要があると考えられ、それは垂直農場の方法による栽植のために意図された一連の構造物及び供給手段を内部に収容する輸送コンテナを開示し、通路が内側に作られ、更に制御可能な栽培プロセスを開示する。最先端技術に属するが、一方で最初に述べた一般的な特徴を依然として保つこれらの最近の登録例は、より小さな空間での栽培を可能にする新しさを有し、多用途で輸送可能な保管場所を有することを可能にし、したがって世界のほぼどこにでもそれらを配置でき、垂直農場を収容するために建物、家、倉庫、小屋などを建てる必要がない。しかしながら、垂直農場を収容することを可能にするように用意されたこれらの輸送コンテナによってもたらされるこの利点を考慮して、本発明は垂直農場を収容するための新しいタイプの空間を導入し、それはまた、世界のどこにでも設置されることができる多用途かつ自律的な解決法を有し、その空間の形式は円筒形タンクである。
【０００９】
本発明の対象である垂直農場を収容するタンクは、そのタンクを設置が容易な輸送可能な建物と考えることができ、それは設置が容易であり、分解されることができ、ごく僅かな土地の空間を占め、消費の中心地のできるだけ近くに設置又は配置されることができるという事実に基づいて、建物、家屋、小屋又は固定された部屋と比較して利点を有する。これらは小さな空間なので、タンクの配列を配置することができ、作物の種類による特化を可能にし、作業の特化により収量を増加させ、そして貯蔵、包装及び輸送設備への適応を可能にする。
【００１０】
しかしながら、それはまた、この種の農作物のために用意された正方形又は長方形の形状を有する輸送コンテナを開示する登録と比較して明らかな利点を有し、それは風などの自然の特定の外的作用により良好に耐えることを可能にする円形の断面を有することを含み、例えば１５〜２２メートルという非常に高い高さで空間を作ることができる。これは、多くの階がある建物に相当し、コンテナでは不可能である。そして、これらのタンクは、長距離輸送に適した約４１００ｍｍの外径を可能にし、その高さに伴って、コンテナよりも非常に高く最適化された耕作可能な表面を可能にする。更に、角や低い天井を取り除くことで内部の容積や空間が更に最適化される。タンクはまた、通常は防錆材、アルミニウム、塗装炭素鋼で製造され、それはあまり処理されていない金属及びレンガ、セメントで製造されたコンテナ、又はプレハブ建築物と比較して、より高いレベルの清潔さ及び衛生、湿気に対するより優れた耐腐食性及びより長い耐用年数、内部設備、支持構造、パイプの簡単な設置、並びにリフトの設置さえも提供する。そのタンクは、様々な種類の断熱材及びベニヤ板での断熱を可能にし、一般的にはスリーブとして知られている安価な熱交換器の設置を可能にして内部温度の制御を助け、それは通気性のない表面であり、最小限の表面粗さを有し、内部区画を汚染する可能性がある湿気又はカビを発生させない。
【００１１】
最後に、タンクハウジングの垂直農場の開発は、輸送コンテナと共に、規模の経済により大量生産とコスト削減を可能にし、土地を必要としないため環境への影響を最小限にし、投資を抑える独自の生産物であり、それを庭、工業団地及び悪い土地の地域に設けることが可能であり、耕作に適していない気候地帯に運搬及び設置可能であり、そして分解されることができることに留意されたい。
【先行技術文献】
【特許文献】
【００１２】
【特許文献１】中国実用新案登録第２０１６６７８６１号明細書
【特許文献２】米国特許第８５３３９３３号明細書
【特許文献３】国際公開第２０１３／０６３７３９号明細書
【特許文献４】国際公開第２０１５／０２７２６７号明細書
【特許文献５】米国特許出願公開第２０１３／０２５５１４６号明細書
【特許文献６】国際公開第２０１６／０６１６３７号明細書
【特許文献７】米国特許第８２３４８１２号明細書
【特許文献８】国際公開第２０１４／０６６８４４号明細書
【発明の概要】
【発明が解決しようとする課題】
【００１３】
そのため、この分野の最新技術における登録及び現在の技術を考慮すると、本発明を開示することが、一般的に垂直農場を収容するために用意されることができる透けた空間、区画、コンテナ又はプレハブ要素のいずれの種類とも異なる解決策を構成することに疑いはなく、したがって現在存在するものとは全く異なる革新的な解決策をこの産業部門に導入し、それは多くの利点を有する。
【課題を解決するための手段】
【００１４】
本発明は、垂直農場を収容することができるタンクを説明し、すなわちそのタンクは、異なる高さの構造物上で植物が栽培され、きめ細かい水及び栄養素の供給を行う最適化された給水技術が使用されるハイテク設備であり、そこでは、光、温度又は湿気などの作物のすべての変数が制御される。
【００１５】
本発明のタンクは、タンク形式、すなわち外観が円筒形である閉じた空間と見なすことができるタンクであり、下面は平らであるが、その上側閉鎖部は円錐形、曲線的、又は曲面であってもよい。いずれの場合にも、外面的には、このタンクは１つの入口ドアしか必要とせず、残りの構成要素及び設備はタンクの内部に組み込まれる。
【００１６】
更に、垂直農場は、高さ方向に積み重ね可能な構造物を設置することによって耕作空間を最適化するという考えに基づいている。正方形の建物又は閉鎖された空間において存在する、従来技術において注目されているこの態様は、タンクに形成される内部空間では、これらの以前の方法及び配置は実行されることができない。この理由により、タンクの平らな内壁に支持された構造物を設置する解決策がもたらされ、その構造物は平らにされることができ、作物のトレイと作物用の電気及び照明設備の両方を置くための、並びに液圧及び給水設備と残りのセンサーのための前面蓋を有する、リング状のプラットフォームが形成されるようにする。
【００１７】
したがって、タンクの内側にある異なる高さの構造物は、溶接又はねじによってタンクの壁に接合される外形によって形成され、溶接又はねじは、電気及び液圧設備と作物トレイを保持する働きをする複数の突出する径方向の金属アームのための高さ調整可能な支持体として働く。このようにして、作物トレイの分離高さは調整されることができ、それは最低４０ｃｍと推定されることができるが、栽培されるべき植物の種類に依存する。更に、それは設置が簡単で、組み立て又は分解が速い安価なシステムである。
【００１８】
上述のように、タンクの内側の端部には、平面図において、好ましくは環状又は輪状の形状を有する複数の構造物があり、したがってタンクの中心軸が空いている。タンクの軸でのこの空洞は、昇降可能な作業プラットフォームを設置するために使用され、それは作業者が必要な栽培又は保守作業を行うのに十分な作業面を有し、作業者が耕作面又は壁の全体に容易に到達することができ、ロボットアームを有するプログラムされたロボットでさえも設置することができ、それは人間の労力を必要とせずに作業を実行する。丸又は円形であり得るこのプラットフォームは、構造物によって作り出された上記の空洞を通って持ち上げられ、安全上の理由から、作業者が必要な条件で作業を実行することを可能にする外周の安全柵、中央のライト又は照明を有する。そして電気システム及び昇降モータは、保守及び安全上の理由で地面に配置される。最後に、上記のプラットフォームは、作業員によって制御されることに留意されたい。
【００１９】
この点に関して、昇降可能なプラットフォームが設備を有し、タンクの下部に電気及び機械システムを有することが示されたならば、タンクの下部は、タンク全体のシステム、貯蔵及び制御のための区域を有することに留意されたい。上述したように、タンクはアクセスドアを有し、それはプラットフォームに入る前に、特定の作業服の交換、汚染除去、虫害管理及びプラットフォームへのアクセスの安全のために玄関ホールと繋がる。この玄関ホールには、作業員が内部での安全要素、非常用はしご、安全帯、ＩＰ６６保護、小さな空間での作業のための酸素管理を有することができる保管場所又は交換場所がある。この玄関ホールの隣には、水及び栄養素を供給するための液圧タンクがあり、同様にこれらの上に、濾過の問題を排除するために、電気供給システム及び作物を最適化するのに必要なパラメータ、例えば、温度、ＣＯ２、湿度、光などについての電気制御システムのための区画がある。漏洩、栽培用トレイからの水又は他のものの流入を防ぐためにも、タンクの下部に位置するこれらの部屋はすべて閉じられ、密閉され、及び覆われている
【００２０】
具体的には、液圧及び栄養素供給システムが定められなければならず、それは、上述したように、区画化された下部にタンクを有し、攪拌機を備え、栄養素を調製し、液体を送り出し、トレイが空の時に戻りを受け取って液体を集めるように働く。下部タンクから異なる高さに配置された異なる構造物の液圧供給は、タンクの側壁に垂直に配置された単一の導管支持体に組み込まれたパイプによって行われ、各構造物は特定の供給及び回収の分枝を有するようにされる。したがって、液圧システムに関連して、電子制御システムの一部が定められなければならす、これもまたタンクの下部に組み込まれている。これを使用して、最適な解決策を維持し、また酸素供給を制御するために、ｐＨ、伝導率、及び栄養素投与量の測定値及び制御値が得られる。
【００２１】
したがって、電子システムによって制御される温度及び環境条件を制御するために、等温の断熱されたベニヤ板の区画がタンクの下部にあり、それは冷暖房空調システムのための蓄熱器／蓄冷器用の水タンクと、最適な環境条件を維持するための独立した電子制御装置と、タンクの大きな高さと小さな断面積により、タンク内に対流が生じるように考えて配置された一連のファンとを有し、またタンクの温度を制御するために、一般的にスリーブとして知られている熱交換器がタンクの壁の内面に設置されることができ、それはまた蓄熱器／蓄冷器用の水タンクに接続されることができる。この区域には、地球規模のシステムの様々な動作が電子的に自動化できるように用意された区域もある。適切なソフトウェアを使用してタンク及びその作物の監視、追跡、生産及びエネルギーの管理のための制御を可能にする、事務所での遠隔制御が可能なハードウェアがこの領域に配置されることもあり得る。
【００２２】
タンクの電気及び照明システムはまた、これらのタンクの状態の液圧及び制御システムと関連している。タンク組立体の電力供給もまた、下部の区画されて断熱された他の区画から行われる。この区画は、外部との電気的接続又は外部への電力供給を有することができ、それ自体のエネルギー蓄積器又は発電及び貯蔵手段を有し、そのエネルギーをタンクの残りの部分に提供する。更に、タンクの高さを垂直に延びるケーブルを介した全体の光の供給があり、各構造物において枝線を有する。各枝線は、構造物の中央に１つ又は２つの回路で配置されて、トレイにある作物に直接焦点を合わせているＬＥＤ照明バーに電力を供給する。そして、この枝線にはあらゆる種類のセンサーを設置することができ、それは栽培のための正確で最適な値を得るために必要ないずれのパラメータも制御可能にする。もう１つの重要な側面は、前述したように、昇降可能なプラットフォームの上方にある作業員用の作業用照明であり、それはタンク全体に照明を有するよりも常用する照明での消費が少なくなる。
【００２３】
作物トレイは通常は、取り扱いが容易で、プラットフォームの寸法及び円形及び環状の形状にも適合する円形領域で構成され、積み重ね可能であり、電力供給管に迅速に接続するコネクタも有することが確立されるべきである。
【００２４】
最後に、本発明は、ＮＦＴシステム又は薄膜水耕などの他の水耕システム、又は他の空中栽培技術をタンクに含めることができる可能性を有している。具体的には、これらの他の再循環システムの場合、水平トレイは、管構造又は固定若しくは回転垂直管を備えたトレイよって置き換えられる。植物をプラスチック管の横に置き、栄養溶液を上部から導入し、根を湿らせ、下部に集める。これらの管はそれ自身の軸を中心に回転されることができ、そして液体が上部で導入され、下部で集められるという事実に基づく。このタイプの場合、照明は垂直に配置され、管に配置された植物及びタンクの壁に光を提供する。最後に、タンクの内壁及びプラットフォームの蓋の内面は、鏡面光沢又は反射性を備えたステンレス鋼で作ることができ、それによって管の凹みの間で壁に到達する光を反射させて、再び植物に作用させ、垂直管のすべての側面に対して光の強度を最大限に活用する。
【００２５】
本明細書で提供される説明を完全にするために、そして本発明の特徴をより容易に理解できるようにすることを助けるために、その説明は、限定ではなく例示として、その不可欠な部分を構成する以下の一組の図面を伴う。
【図面の簡単な説明】
【００２６】
【図１】垂直農場を収容するタンクの斜視図である。
【図２】垂直農場を収容するタンクの内部の斜視図である。
【図３】垂直農場を収容するタンクの縦断面図である。
【図４】前図のＡ−Ａ’横断面図である。
【図５】図３のＢ−Ｂ’横断面図である。
【図６】その内壁にスリーブを有する、垂直農場を収容するタンクの縦断面図である。
【図７】その内壁にスリーブを有する、垂直農場を収容するタンクの内部の斜視図である。
【図８】作物を目的とした構造物の詳細な平面図である。
【図９】作物を目的とした構造物の詳細な斜視図である。
【図１０】再循環システムを備えた垂直農場を収容するタンクの内部の斜視図である。
【図１１】前図の中間高さでの横断面図である。
【発明を実施するための形態】
【００２７】
本発明のタンクは、図１に示されるように、タンク形式、すなわち外観が円筒形である閉じた空間と見なすことができるタンク（１）であり、内面は平らであるが、その上側閉鎖部は円錐形、曲線的、又は曲面であってもよい。タンク（１）は１つの入り口ドア（１０）を有し、残りの構成要素及び設備はタンク（１）の内部に配置される。
【００２８】
更に、図２に示されるように、垂直農場の概念を最適化するために、平らな壁を有するタンク（１）の内側に、タンクの支持体（２０）によって内壁に支持される構造物（２）が、作物のためのトレイ（２１）及び他の必要な設備を配置するための環状の突部を形成するようにして、タンクに設置される。更に、これらの環状の構造物（２）が、少なくとも１人の作業員（３０）又は該当する場合にはロボットアームを有するロボットが野菜を保持する異なるトレイ（２１）にアクセスできるように、昇降可能なプラットフォーム（３）を設置するために使用されるタンクの中心軸での中空空間をどのようにして作り出すかが分かる。最後に、この図は、タンク（１）の下部に配置される設備、電気及び機械システム用の区域を示す。タンクの下部には、タンク全体のシステム、貯蔵及び制御のための区域がある。図から分かるように、ドア（１０）を通ってタンク（１）に入ると、プラットフォーム（３）に入る前に、貯蔵区域を有する玄関ホール（５）に入る。この玄関ホール（５）の隣には、水及び栄養素を供給するための液圧タンク（４）があり、同様にこれらの上に、濾過の問題を排除するために、電気供給システム及び作物を最適化するのに必要なパラメータについての電気制御システム（図示せず）を保管するための区画がある。これら全ての部屋は、図には示されていないが、漏洩、栽培用トレイ（２１）からの水又は他のものの流入をまた防ぐために、閉鎖され、密封され及び覆われている。
【００２９】
これに関して、タンクの一実施形態は、高さ１５〜２２メートル、外径４１００ｍｍの区画を構成し、この寸法は長距離輸送用に、最小で４０ｃｍの構造物の間での分離を備えて設計されており、それにより２００〜３００ｍ２の正味の耕作可能な表面を作り出す。それは、地面の外表面の２５ｍ２だけがタンクを置くために必要とされることを意味する。支持体及びトレイの幅は０．７５〜０．９０ｍの幅からなるので、昇降可能なプラットフォームは直径約２．２５ｍ、約４ｍ２となることができ、これは長方形の形状のコンテナ又は部屋で作られた通路で必要なプラットフォームに対してはるかに大きい作業面である。
【００３０】
図３〜５は、図２のものと同一のタンク（１）の内部を形成する構成要素を示すが、それらはより詳細に記載されている。これに関して、それらの詳細をより良く理解するために、２つの断面Ａ−Ａ’（図４）及びＢ−Ｂ’（図５）が示される。構造物（２）は、溶接又はねじで固定される支持体（２０）によってタンクの壁に接合される外形で形成され、支持体（２０）は、構造物（２）を形成する複数の突出する半径方向の金属アーム又は外形についての高さ調整可能な支持体として働き、電気及び液圧機器並びに作物トレイ（２１）を保持するように働く。円形の昇降可能な作業プラットフォーム（３）が、環状の構造物（２）によって形成されたタンク（１）の軸の中空部に設置され、そこで作業者（３０）は、必要な栽培又は保守作業を行うこと、及び箱（３４）又は必要なものを配置することができる。このプラットフォーム（３）は、安全上の理由から、作業者が必要な条件で作業を行うことを可能にする外周の柵（３１）、中央のライト（３３）又は照明を有し、電気システム及び巻き上げモータは保守及び安全上の理由で地面に設置されているが、プラットフォーム（３）は、プラットフォーム（３）に固定されてプラットフォーム（３）の上方及び下方への移動を可能にする垂直なガイド（３２）を有する。
【００３１】
更に、図３〜５は、タンク（１）の下部にタンク全体のシステム、貯蔵及び制御のための区域があることを示す。タンク（１）は１つのアクセスドア（１０）を有し、それはプラットフォーム（３）に入る前に、特定の作業服の交換、汚染除去、虫害管理及びプラットフォームへのアクセスの安全のために玄関ホール（５）と繋がる。この玄関ホール（５）の隣には、水及び栄養素を供給するための液圧タンク（４）があり、そこから異なる高さに位置する異なる構造物（２）の液圧供給ダクト（４０）が出て、それにより各構造物（２）が上述の液圧循環のための特定の供給及び回収の分枝を有するようにされる。同様に、電気及び電子システム用の空間又は区画（６）があり、そのシステムは外部との電気的接続又は外部への電気供給を有することができ、それ自身のエネルギー蓄積器又はエネルギーをタンクの他の部分に供給する発電及び貯蔵手段を有する。同様に、全体のライトの電力供給（６０）がケーブルによりそのシステムから生じ、それはタンクの高さを垂直方向に進み、各構造物（２）で分岐する。各枝線は、構造物の中央に１つ又は２つの回路で配置されたＬＥＤ照明バー（６１）に電力を供給し、ＬＥＤ照明バー（６１）はトレイ（２１）に配置された作物に直接焦点を合わせる。図５は可能な方法を示すが、これらの区画及び部屋は、それらが閉鎖、密封及び保護されるという事実が配慮されるという条件で、多種多様な形状に設計されることができる。
【００３２】
図６及び７はタンク（１）を示しており、それは上述のものと同じ特徴及び構成要素を保持している。すなわち、それは支持体（２０）によって内壁に支持された複数の構造物（２）で作られ、そこに作物のためのトレイ（２１）並びに他の必要な設備及び導管の両方が配置され、作業者（３０）のための昇降可能なプラットフォーム（３）を有し、タンク（１）の下部には、設備、電気及び機械システムのための区域がある。タンクの下部は、玄関ホール（５）、液圧タンク（４）、並びに電気及び電子部品を保護する区画（６）など、タンク全体のシステム、貯蔵及び制御のための区域を有することに留意されたい。これら２つの図は、タンク（１）の壁の内面での熱交換器設備又はスリーブ（７）として一般的に知られている設備によって、タンクの温度を制御することが可能であることも含んでいる。
【００３３】
明らかにされなければならない別の重要な特徴は作物トレイ（２１）であり、図４及び図７の拡大詳細図である図８及び図９に見られるように、それは容易な取り扱いを可能にする、構造体（２）の寸法並びに円形及び環状の形状に適合された円形領域で構成される。更に、構造物（２）がどのような全体の液圧（４０）及び電気（６０）供給ダクトとの接続を可能にする導管を収容する外形であるのかが分かる。したがって、構造体は、それらの上部によってトレイ（２１）を支持しかつ液圧での供給を行い、一方でそれらの下部は下の構造体（２）のトレイ（２１）を照らすＬＥＤ照明（６１）を支持する。
【００３４】
最後に、図１０及び１１はタンク（１）を示し、それは玄関ホール（５）、液圧タンク（４）並びに電気及び電子部品を保護する区画（６）がタンクの下部にあること、又はスリーブ（７）を含むことなど、上述と同じ特徴及び構成要素を保持する。タンク（１）は、ＮＦＴシステム又は薄膜水耕などの水耕システムの設置を可能にし、異なる支持体（２０）上に配置されたトレイは垂直な管構造（２１０）を有し、したがって液圧供給ダクト（４０）からの栄養溶液又は栄養液は上部で導入され、根を湿らせ、そして下部に集められる。この場合には、全体のダクト（６０）から電力を供給されるＬＥＤ照明（６１）は垂直に配置されていることに留意されたい。同様に、円形の昇降可能な作業プラットフォーム（３）が、環状の構造物（２）によって形成されたタンク（１）の軸の中空部に設置され、そこで作業者（３０）は必要な栽培又は保守作業を行い、箱（３４）又は必要な物を設置することができる。このプラットフォーム（３）は、安全上の理由から、作業者が必要な条件で作業を行うことを可能にする外周の柵（３１）、中央のライト（３３）又は照明を有し、電気システム及び巻き上げモータは保守及び安全上の理由で地面に設置されているが、プラットフォーム（３）は、プラットフォーム（３）に固定されてプラットフォーム（３）の上方及び下方への移動を可能にする垂直なガイド（３２）を有する。
【００３５】
本明細書で使用された用語が広く非限定的な意味で解釈されるべきであること、並びに実際にそれを実行する最良の形態の説明を考慮して、上記で本発明の本質を十分に説明した。それが有益な技術的進歩を構成することが明らかにされているので、特許が登録されることが求められ、発明の本質は特許請求の範囲において特定されるものである。
【符号の説明】
【００３６】
１      タンク
２      構造物
３      プラットフォーム
４      液圧タンク
５      玄関ホール
６      電気及び電子システム用の空間又は区画
７      スリーブ
１０    ドア
２０    支持体
２１    トレイ
３０    作業員
３１    柵
３２    ガイド
３３    ライト
３４    箱
４０    液圧供給ダクト
６０    ライトの電力供給
６１    ＬＥＤ照明バー
２１０  垂直な管状構成
【図１】
2019528086.tif 000003
【図２】
2019528086.tif 000004
【図３】
2019528086.tif 000005
【図４】
2019528086.tif 000006
【図５】
2019528086.tif 000007
【図６】
2019528086.tif 000008
【図７】
2019528086.tif 000009
【図８】
2019528086.tif 000010
【図９】
2019528086.tif 000011
【図１０】
2019528086.tif 000012
【図１１】
2019528086.tif 000013
【国際調査報告】
2019528086.tif 000014
2019528086.tif 000015
2019528086.tif 000016
2019528086.tif 000017
2019528086.tif 000018
2019528086.tif 000019
2019528086.tif 000020
2019528086.tif 000021